(57)【特許請求の範囲】
【請求項１】
下地は、（ａ）厚地絹布（肌に接する層）および薄地ニット（内層）、または（ｂ）厚地絹布１枚あるいは２枚（肌に接する層）、化繊綿あるいはキルト芯の綿（中間層）、および薄地ニット（内層）、または（ｃ）薄地絹ニット１枚あるいは２枚（肌に接する層）、化繊綿あるいはキルト芯の綿（中間層）、および薄地ニット（内層）からなり、
前記下地を乳房形状に裁断し、前記下地の乳房形状の上部に開口部を形成する部分を縫い合わせ、
上地は、（ｄ）薄地ニット（内層）、不織布（中間層）、薄地ニット（外層、表装としてレース仕様に形成する。）、または（ｅ）薄地ニット（内層）、消臭不織布（中間層）、薄地ニット（外層、表装としてレース仕様に形成する。）、または（Ｆ）薄地ニット（内層）、消臭不織布（中間層）および薄地ニット（中間層）、薄地ニット（外層、表装としてレース仕様に形成する。）からなり、
前記上地を乳房形状に裁断し、前記上地の乳房形状を、乳房の膨らみを形成するようにし、前記上地の乳房形状の上部に開口部を形成する部分を縫い合わせ、
前記下地と上地とを重ねて、前記乳房形状の上部に形成した縫い合わせた部分を除いて、乳房形状の外周に沿って縫い合わせて、開口部を有する袋状体を形成し、
前記下地と上地との間に形成した袋状体の開口部から、小粒の淡水産天然パール、プラスチックビーズ、および化繊粒綿からなる詰め物を前記袋状体に充填し、上部には空間部を残し、その後、開口部を縫い合わせて形成したことを特徴とするバストパッド。
【請求項２】
下地は、薄地絹ニット２枚（肌に接する層、２層）、キルト芯の綿（中間層）、および薄地ニット（内層）からなり、前記下地を乳房形状に裁断し、前記下地の乳房形状の上部に開口部を形成する部分を縫い合わせ、また、薄地絹ニット２枚の下部の両脇に開き止まりを縫い、その中間をポケット入口とし、
上地は、薄地ニット（内層）、消臭不織布および薄地ニット（中間層）、薄地ニット（外層、表装としてレース仕様に形成する。）からなり、前記上地を乳房形状に裁断し、前記上地の乳房形状を、乳房の膨らみを形成するようにし、前記上地の乳房形状の上部に開口部を形成する部分を縫い合わせ、
前記下地と上地とを重ねて、前記乳房形状の上部に形成した縫い合わせた部分を除いて、乳房形状の外周に沿って、乳房形状下部に形成した開き止まりまで縫い合わせ、かつ、開き止まりの中間は、２枚の薄地絹ニット（肌に接する層）の内側の薄地絹ニットのみを縫い合わせ、上部に開口部を有する袋状体、および内側下部にポケット入り口を形成し、
前記下地と上地との間に形成した袋状体の開口部から、小粒の淡水産天然パール、プラスチックビーズ、および化繊粒綿からなる詰め物を前記袋状体に充填し、上部には空間部を残し、その後、上部の開口部を縫い合わせて形成したことを特徴とするポケット付バストパッド。
【請求項３】
下地は、（ａ）厚地絹布（肌に接する層）および薄地ニット（内層）、または（ｂ）厚地絹布１枚あるいは２枚（肌に接する層）、化繊綿あるいはキルト芯の綿（中間層）、および薄地ニット（内層）、または（ｃ）薄地絹ニット１枚あるいは２枚（肌に接する層）、化繊綿あるいはキルト芯の綿（中間層）、および薄地ニット（内層）からなり、
前記下地の内層および中間層は乳房形状に裁断し、肌に接する層は乳房形状および脇の肋骨に当たる舌片状のリンパ覆い部を連接して裁断し、前記下地の乳房形状の上部に開口部を形成する部分を縫い合わせ、
上地は、（ｄ）薄地ニット（内層）、不織布（中間層）、薄地ニット（外層、表装としてレース仕様に形成する。）、または（ｅ）薄地ニット（内層）、消臭不織布（中間層）、薄地ニット（外層、表装としてレース仕様に形成する。）、または（ｆ）薄地ニット（内層）、消臭不織布（中間層）および薄地ニット（中間層）、薄地ニット（外層、表装としてレース仕様に形成する。）からなり、
前記上地の内層および中間層は乳房形状に裁断し、外層（表装としてレース仕様に形成する。）は乳房形状および脇の肋骨に当たる舌片状のリンパ覆い部を連接して裁断し、
前記上地の乳房形状を、乳房の膨らみを形成するようにし、
前記上地の乳房形状の上部に開口部を形成する部分を縫い合わせ、
前記下地と上地とを重ねて、前記乳房形状の上部に形成した縫い合わせた部分を除いて、乳房形状の外周から舌片状のリンパ覆い部外周に沿って縫い合わせ、さらに、乳房形状と舌片状のリンパ覆い部の境界を縫い合わせて、リンパ覆い部が連接された開口部を有する袋状体を形成し、
前記下地と上地との間に形成した袋状体の開口部から、小粒の淡水産天然パール、プラスチックビーズ、および化繊粒綿からなる詰め物を前記袋状体に充填し、上部には空間部を残し、その後、開口部を縫い合わせて形成したことを特徴とするリンパ覆い部を有するバストパッド。
【請求項４】
下地は、薄地絹ニット２枚（肌に接する層）、キルト芯の綿（中間層）、および薄地ニット（内層）からなり、前記下地の内層および中間層は乳房形状に裁断し、肌に接する層は乳房形状および脇の肋骨に当たる舌片状のリンパ覆い部を連接して裁断し、
前記下地の乳房形状の上部に開口部を形成する部分を縫い合わせ、また、薄地絹ニット２枚の下部の両脇に開き止まりを縫い、その中間をポケット入口とし、
上地は、薄地ニット（内層）、消臭不織布および薄地ニット（中間層）、薄地ニット（外層、表装としてレース仕様に形成する。）からなり、前記上地の内層および中間層は乳房形状に裁断し、外層（表装としてレース仕様に形成する。）は乳房形状および脇の肋骨に当たる舌片状のリンパ覆い部を連接して裁断し、
前記上地の乳房形状を、乳房の膨らみを形成するようにし、
前記上地の乳房形状の上部に開口部を形成する部分を縫い合わせ、
前記下地と上地とを重ねて、前記乳房形状の上部に形成した縫い合わせた部分を除いて、乳房形状の外周に沿って、乳房形状下部に形成した開き止まりまで縫い合わせ、かつ、開き止まりの中間は、２枚の薄地絹ニット（肌に接する層）の内側の薄地絹ニットのみを縫い合わせ、上部に開口部を有する袋状体、および内側下部にポケット入り口を形成し、
前記下地と上地との間に形成した袋状体の開口部から、小粒の淡水産天然パール、プラスチックビーズ、および化繊粒綿からなる詰め物を前記袋状体に充填し、上部には空間部を残し、その後、上部の開口部を縫い合わせて形成したことを特徴とするリンパ覆い部を有するポケット付バストパッド。
【請求項５】
請求項１から請求項２記載のバストパッドにおいて、上地の外層（表装としてレース仕様に形成する。）左右の上部の位置に、ブラジャーの内部に取り付けた凹スナップに対応する凸スナップを１個または２個取り付けたことを特徴とするスナップ付バストパッド。
【請求項６】
請求項３から請求項４記載のリンパ覆い部を有するバストパッドにおいて、上地の外層（表装としてレース仕様に形成する。）のリンパ覆い部の反対側の上部の位置に、ブラジャーの内部に取り付けた凹スナップに対応する凸スナップを１個取り付けたことを特徴とするリンパ覆い部を有するスナップ付バストパッド。
【請求項７】
請求項１から請求項２、および請求項５記載のバストパッドの下に、重ねて使用するアンダーパッドであって、
（１）厚地絹布（肌に接する層）１層、
（２）厚地絹布（肌に接する層、および外層）２層、
（３）厚地絹布（肌に接する層）、および化繊綿（外層）との２層、
（４）厚地絹布（肌に接する層）、およびキルト芯の綿（外層）との２層、
（５）厚地絹布（肌に接する層）、および薄地ニット（外層、表装としてレース仕様に形成する。）との２層、
（６）厚地絹布（肌に接する層、中間層、および外層）３層、
（７）厚地絹布（肌に接する層、中間層）２層、および化繊綿（外層）との３層、
（８）厚地絹布（肌に接する層、中間層）２層、およびキルト芯の綿（外層）との３層、
（９）厚地絹布（肌に接する層）、キルト芯の綿（中間層）、および薄地ニット（外層、表装としてレース仕様に形成する。）との３層、
（１０）厚地絹布（肌に接する層、中間層）２層、および薄地ニット（外層、表装としてレース仕様に形成する。）との３層、
（１１）厚地絹布（肌に接する層）、化繊綿（中間層）および薄地ニット（外層、表装としてレース仕様に形成する。）との３層、
（１２）厚地絹布（肌に接する層、中間層）２層、キルト芯の綿（中間層）層、および薄地ニット（外層、表装としてレース仕様に形成する。）との４層、
（１３）厚地絹布（肌に接する層）、キルト芯の綿（中間層）２層、および薄地ニット（外層、表装としてレース仕様に形成する。）との４層、または、
（１４）薄地絹ニット（肌に接する層）、キルト芯の綿（中間層）、薄地絹ニット（中間層）、および薄地ニット（外層、表装としてレース仕様に形成する。）との４層、
（１５）薄地絹ニット（肌に接する層）、キルト芯の綿（中間層）２層、薄地ニット（中間層）、および薄地ニット（外層、表装としてレース仕様に形成する。）との５層、
（１６）薄地絹ニット（肌に接する層）、キルト芯の綿（中間層）３層、薄地ニット（中間層）、および薄地ニット（外層、表装としてレース仕様に形成する。）との６層、
を乳房形状に裁断し、前記各層の乳房形状の周囲を縫い合わせて形成したアンダーパッドであって、これらを必要に応じて重ねて使用することを特徴とするバストパッド。
【請求項８】
請求項３から請求項４、および請求項６記載のリンパ覆い部を有するバストパッドの下に、重ねて使用するアンダーパッドであって、
（１）厚地絹布（肌に接する層）１層、
（２）厚地絹布（肌に接する層、および外層）２層、
（３）厚地絹布（肌に接する層）、および化繊綿（外層）との２層、
（４）厚地絹布（肌に接する層）、およびキルト芯の綿（外層）との２層、
（５）厚地絹布（肌に接する層）、および薄地ニット（外層、表装としてレース仕様に形成する。）との２層、
（６）厚地絹布（肌に接する層、中間層、および外層）３層、
（７）厚地絹布（肌に接する層、中間層）２層、および化繊綿（外層）との３層、
（８）厚地絹布（肌に接する層、中間層）２層、およびキルト芯の綿（外層）との３層、
（９）厚地絹布（肌に接する層）、キルト芯の綿（中間層）、および薄地ニット（外層、表装としてレース仕様に形成する。）との３層、
（１０）厚地絹布（肌に接する層、中間層）２層、および薄地ニット（外層、表装としてレース仕様に形成する。）との３層、
（１１）厚地絹布（肌に接する層）、化繊綿（中間層）、および薄地ニット（外層、表装としてレース仕様に形成する。）との３層、
（１２）厚地絹布（肌に接する層、中間層）２層、キルト芯の綿（中間層）層、および薄地ニット（外層、表装としてレース仕様に形成する。）との４層、
（１３）厚地絹布（肌に接する層）、キルト芯の綿（中間層）２層、および薄地ニット（外層、表装としてレース仕様に形成する。）との４層、または、
（１４）薄地絹ニット（肌に接する層）、キルト芯の綿（中間層）、薄地絹ニット（中間層）、および薄地ニット（外層、表装としてレース仕様に形成する。）との４層、
（１５）薄地絹ニット（肌に接する層）、キルト芯の綿（中間層）２層、薄地ニット（中間層）、および薄地ニット（外層、表装としてレース仕様に形成する。）との５層、
（１６）薄地絹ニット（肌に接する層）、キルト芯の綿（中間層）３層、薄地ニット（中間層）、および薄地ニット（外層、表装としてレース仕様に形成する。）との６層、
について、中間層は乳房形状に裁断し、肌に接する層および外層は乳房形状および脇の肋骨に当たる舌片状のリンパ覆い部を連接して裁断し、前記各層の乳房形状の外周から舌片状のリンパ覆い部外周に沿って縫い合わせ、さらに、乳房形状と舌片状のリンパ覆い部の境界を縫い合わせて形成したアンダーパッドであって、これらを必要に応じて重ねて使用することを特徴とするリンパ覆い部を有するバストパッド。
【請求項９】
請求項２および請求項４記載のポケット付バストパッドのポケットの中に使用する中パッドであって、
（１）薄地ニット（上層、下層）２層、キルト芯の綿（中間層）との３層、
（２）薄地ニット（上層、下層）２層、キルト芯の綿（中間層）２枚層との４層、
をポケットの中に入る大きさに裁断し、前記各層のを縫い合わせて形成した中パッドであって、これらを必要に応じてポケットの中に封入して使用することを特徴とするポケット付バストパッド。
【請求項１０】
請求項１から請求項９記載のバストパッドにおいて、各層を縫い合わせるために、消臭ミシン糸を使用することを特徴とするバストパッド。
【発明の詳細な説明】
【技術分野】
【０００１】
本発明は、乳ガン手術によって乳房を切除した女性が、その後に使用するバストパッドに関するものである。
【背景技術】
【０００２】
一般に乳ガン手術によって乳房を切除した女性のバストを、従前のバストと変わらないように補整する人工乳房や乳房切除後に使用するバストパッドが提供されている。
これは、主に、シリコンゴムやシリコンゲルを外装フィルムで覆ったものである。
【０００３】
しかし、前記のものは、通気性がないために、それを改良するものとして、連続多孔質成形体として、吸汗性乃至通気性を付与した人工乳房が提案されている。
【０００４】
現在の医療現場においては、プラスチックフィルムからなる覆いの中に、シリコンゴムと微粒子からなる混合物を充填して形成した人工乳房が使用されている。
【０００５】
前記の医療現場において使用されている人工乳房は、商品名「ＡＭＯＥＮＡ（登録商標）」といい、カバー用の布製の袋に入れて使用するものである。
人工乳房本体の重さは、Ｍサイズのもので、約１７７ｇ有り、布製の袋に入れた全体の重さは、約１８６ｇも有るものである。
そして、前記人工乳房は、手術後、約１〜２ヶ月は使用できず、キズが治まった約４〜６ヶ月以降に使用するものである。
【０００６】
一方、健常者用のバストアップや乳房の垂れ下がりを防止するために、乳房の矯正を行うバストパッドの素材として、椀状の通気性及び柔軟性を有するシート材の空間部に、合成樹脂を発泡させながら造粒することにより得られた、軽量で、撥水性及び適度の弾性を有する合成樹脂発泡粒子のみが充填されてなることを特徴とする乳房矯正用パッドが提案されている。
【０００７】
また、高密度で伸縮性の編織布を用いて所定形状の袋状体を形成し、その一端に弁体を設け、弁体を経て多数の微小発泡ビーズを袋状体内に所定量充填してなるバストパッドも提案されている。この微小発泡ビーズは、粒径が０．５〜１ｍｍ程度で、発泡倍数２０〜３０として形成されたポリスチレン発泡体の粒状のビーズである。
【０００８】
前記健常者用のバストパッドは、バストパッドに使用する合成樹脂発泡粒子や微小発泡ビーズによって、静電気が発生し、帯電し易い性質を有するという欠点がある。
また、前記のバストパッドは、健常者用のものであるために、乳房を切除した女性のためには、合成樹脂発泡粒子や微小発泡ビーズでは軽すぎて、失った重量を補填できず、バランスが取れないという欠点がある。
【０００９】
さらに、別途、木綿繊維等のセルロース繊維にメタクリル酸をグラフト共重合反応させた改質セルロース繊維が知られている。この改質セルロース繊維は、その分子中にカルボキシル基を導入したことから、アンモニアやアミン、屎尿臭、汗およびワキガ等の塩基性悪臭物質に対する吸着性にすぐれたもので、脱臭性繊維としての作用を示すものである。
この脱臭作用は、洗濯後の天日干しで復活するので、繰り返し使用が可能である。
また、この脱臭作用は、塩基性の悪臭を吸着するものであるから、塩基性でないものは吸着しない。したがって、香水等の香りは、吸着しない。
そして、この脱臭性繊維の糸からなる消臭ミシン糸が「ミレ−ヌ（登録商標）」という商品名で市販されている。
【先行技術文献】
【特許文献】
【００１０】
【特許文献１】特開平２−２９１８５６号公報（特許第２９９３９９９号）
【特許文献２】特開２００４−３１０号公報
【特許文献３】米国特許第６，２９６，８００号（US-B1-6,296,800）
【特許文献４】特開２００２−２８５４０６号公報（特許第３５３６０３４号）
【特許文献５】特開２００４−１４３６２６号公報（特許第３８５７２１２号）
【特許文献６】特開平６−１８４９４１号公報（特許第３２３９１４６号）
【発明の概要】
【発明が解決しようとする課題】
【００１１】
解決しようとする問題点は、現在の医療現場において、乳ガン手術によって乳房を切除した女性用のバストパッドは、前記したようなシリコンゴムを外装フィルムで覆ったものである。この製品は、規格品であるために、以下の様な欠点があった。
・重いので肩こりが起こったり、冬は冷たく、夏は蒸れるという欠点があった。
・切除した乳房と、健康な乳房の大きさに対して、切除した乳房の大きさを調節することができない。
・キズが癒えた後でも、傷口が敏感になっているために、袋カバー入り口の縫い目が肌やキズに当たるために、痛みが生じる。
・手術の結果、鎖骨の下の胸元に窪みができるが、製品の形態上、その窪みをカバーができない。
・材質と重量のために、身体に会わず、肌への密着感が無い上に、重いので滑る。
そのために、就寝時に装着すると、滑ってずれるので、不快なために外してしまうことになる。その結果、就寝時には、キズの保護ができないことになる。
・専用のブラジャーに装着して使用するものであるために高価である。
【００１２】
また、従来のバストパッドは、乳房のみを対象としていたために、脇の下の腋窩（エキカ）リンパ節を削除した場合に、その傷を保護することができない欠点がある。
さらに、汗をかいた時に、その不快な汗の臭いを取る手軽な手段がなかった。
そして、何よりも術後の女性に対して、生活の質（  Quality  Of  Life  、以下、ＱＯＬと略す。）を向上させることである。
【課題を解決するための手段】
【００１３】
本願発明において、下地は、肌に接する層、中間層、および内層からなり、
肌に接する層は、厚地絹布、あるいは薄地絹ニットとかならず絹製品であり、中間層は、化繊綿、キルト芯の綿であり、内層は、薄地ニットである。
これらの組み合わせからなる下地を乳房形状に裁断し、前記下地の乳房形状の上部に開口部を形成する部分を縫い合わせる。
上地は、内層、中間層、外層（表装としてレース仕様に形成する。）からなり、
内層は、薄地ニットであり、中間層は、不織布、消臭不織布、薄地ニットであり、外層（表装としてレース仕様に形成する。）は、薄地ニットである。
これらの組み合わせからなる上地を乳房形状に裁断し、前記上地の乳房形状を、乳房の膨らみを形成するようにし、前記上地の乳房形状の上部に開口部を形成する部分を縫い合わせる。
前記下地と上地とを重ねて、前記乳房形状の上部に形成した縫い合わせた部分を除いて、乳房形状の外周に沿って縫い合わせて、開口部を有する袋状体を形成する。
前記下地と上地との間に形成した袋状体の開口部から、小粒の淡水産天然パール、プラスチックビーズ、および化繊粒綿からなる詰め物を前記袋状体に充填し、上部には空間部を残し、その後、開口部を縫い合わせて形成したバストパッドであることを最も主要な特徴とする。
【００１４】
また、本願発明の別態様において、下地は、肌に接する層、中間層、および内層からなり、肌に接する層は、厚地絹布、あるいは薄地絹ニットとかならず絹製品であり、中間層は、化繊綿、キルト芯の綿であり、内層は、薄地ニットである。
これらの組み合わせからなる下地の内層および中間層は乳房形状に裁断し、肌に接する層は乳房形状および脇の肋骨に当たる舌片状のリンパ覆い部を連接して裁断し、前記下地の乳房形状の上部に開口部を形成する部分を縫い合わせる。
上地は、内層、中間層、外層（表装としてレース仕様に形成する。）からなり、
内層は、薄地ニットであり、中間層は、不織布、消臭不織布、薄地ニットであり、外層（表装としてレース仕様に形成する。）は、薄地ニットである。
これらの組み合わせからなる上地の内層および中間層は乳房形状に裁断し、外層（表装としてレース仕様に形成する。）は乳房形状および脇の肋骨に当たる舌片状のリンパ覆い部を連接して裁断し、前記上地の乳房形状を、乳房の膨らみを形成するようにし、前記上地の乳房形状の上部に開口部を形成する部分を縫い合わせる。
前記下地と上地とを重ねて、前記乳房形状の上部に形成した縫い合わせた部分を除いて、乳房形状の外周から舌片状のリンパ覆い部外周に沿って縫い合わせ、さらに、乳房形状と舌片状のリンパ覆い部の境界を縫い合わせて、リンパ覆い部が連接された開口部を有する袋状体を形成する。
前記下地と上地との間に形成した袋状体の開口部から、小粒の淡水産天然パール、プラスチックビーズ、および化繊粒綿からなる詰め物を前記袋状体に充填し、上部には空間部を残し、その後、開口部を縫い合わせて形成したリンパ覆い部を有するバストパッドであることを最も主要な特徴とする。
【００１５】
さらに、前記２つの態様において、本願発明は、下地の肌に接する層を薄地絹ニット２枚とした場合には、乳房形状の薄地絹ニット２枚の下部の両脇に開き止まりを縫い、その中間をポケット入口として形成することにより、ポケット付バストパッド、およびリンパ覆い部を有するポケット付バストパッドとすることを特徴とする。
【００１６】
また、前記４つの態様において、本願発明は、乳房形状の上地の外層（表装としてレース仕様に形成する。）上部の位置に、ブラジャーの内部に取り付けた凹スナップに対応する凸スナップを１個または２個取り付けることにより、スナップ付バストパッド、およびリンパ覆い部を有するスナップ付バストパッドとすることを特徴とする。
【００１７】
また、本願発明は、付加的な態様として、前記バストパッドおよび前記リンパ覆い部を有するバストパッドの下に、重ねて使用するアンダーパッドを用いることができることを特徴とする。
前記アンダーパッドは、肌に接する層、中間層、および外層からなり、
肌に接する層は、厚地絹布、あるいは薄地絹ニット等とかならず絹製品であり、中間層は、厚地絹布、化繊綿、キルト芯の綿、絹毛布等であり、外層（表装としてレース仕様に形成する。）は、薄地ニット、化繊綿、キルト芯の綿等であり、これらの素材からなる層を種々に組み合わせて、厚みを調整し、乳房形状に裁断し、あるいは乳房形状および脇の肋骨に当たる舌片状のリンパ覆い部を連接して裁断し、周囲を縫い合わせて形成することを特徴とする。
【００１８】
さらに、前記ポケット付バストパッド、およびリンパ覆い部を有するポケット付バストパッドに対して、本願発明は、ポケットの中に使用する中パッドを用いることができることを特徴とする。
前記中パッドは、薄地ニット、キルト芯の綿等の層を適宜組み合わせて厚みを調整し、ポケットの中に入る大きさに裁断し、前記各層を縫い合わせて形成することを特徴とする。
【００１９】
さらに、本願発明、前記全ての縫い合わせる作業を、消臭ミシン糸を使用することを特徴とする。
【発明の効果】
【００２０】
本願発明のバストパッドは、ＱＯＬに関して、以下のとおりの利点がある。
・下地が厚手の絹毛布なので肌触り、保湿性、吸汗性、保温性が優れている。
・軽量で柔らかさがあり、素材が絹であるために、自然に肌になじむ上に、絹毛布のクッション作用により、キズを保護できるために、２４時間装着することができる。
・そのために、装着していることを忘れる位に自然な感じになる。
・乳房は各自大きさが異なることに対して、ダーツの幅を広げたり、立体裁断で調節して対応できる。
・下地と上地との５層を開口部下部の１／３の箇所から下に向かって乳房型の外周に沿って開口部の上部まで乳房型に縫い合わせて袋状体を形成しているので、開口部下部が２重に縫い合わされているので、詰め物の充填に際して、開口部が丈夫である。
・バストパッドの詰め物として、小粒の淡水産天然パールを使用することにより、淡水産天然パールビーズは、プラスチックビーズと比較すると、同重量で１：３の嵩高になるために、重量の調節が可能である。
・このことにより、身体のバランスがとれることになり、肩凝り、前肩（猫背）、背骨が曲がる等の姿勢が悪くなることを解決することができる。
・また、前記小粒の淡水産天然パールは、プラスチックビーズと混合した場合に、プラスチックビーズの帯電を防止するという格別顕著な効果がある。
そのために、ビーズが静電気で固まることが無く、常に、ビーズがバラバラになり、身体の動きに応じて、ビーズが動くことにより、バストパッドが普通の乳房と同じような動きをする。
・さらに、淡水産天然パールビーズは、ゴージャス感があり、ストレスを軽減させるだけでなく、女性にとって大変満足できるものである。
・フルサイズカップの市販のブラジャーが使用できる。
・市販のブラジャーの中に入れて使用すると、身体の動きに対応できるために、運動をしても、バストパッドが飛び出したり、ズレたりしないので、使用感が良い。
・洗濯ネットに入れて洗濯機で洗うことができる。そのために衛生面で優れている。
【００２１】
・脇の下の腋窩（エキカ）リンパ節を切除した場合に、その傷を保護することができる。
・リンパを切除した場合には、リハビリをやらないと腕が上がらなくなるので、腕の機能回復のためにリハビリが必須になるが、その際に肌に優しいために、リハビリ作業の負担を軽減することができる。
【００２２】
・本体のバストパッドの下に装着してアンダーパッドを使用することにより、パッドの高さの調節ができる。
・また、アンダーパッドは、手軽に交換できる。
・さらに、バストパッド、およびアンダーパッドを縫製する時に、消臭ミシン糸を使用することによって、不快な汗の臭いや、ワキガの臭いを手軽に取ることができる。
・しかも、その脱臭作用は、洗濯後の天日干しで復活するために、繰り返し使用が可能である。
【図面の簡単な説明】
【００２３】
【図１】本願発明に係るバストパッドＡの外観斜視図である。（実施例１）
【図２】バストパッドＡの図１のＡ−Ａ線の断面図である。（実施例１）
【図３】開口部８を形成するためのミシンの縫い目９を示す説明図である。（実施例１）
【図４】ポケット付バストパッドＡの裏側正面図である。（実施例３）
【図５】本願発明に係るリンパ覆い部を有するバストパッドＢの正面図である。（実施例４）
【図６】リンパ覆い部を有するバストパッドＢのＢ−Ｂ線の断面図である。（実施例４）
【図７】リンパ覆い部を有するポケット付バストパッドＢの裏側正面図である。（実施例６）
【図８】スナップ付バストパッドＡの外観斜視図である。（実施例７）
【図９】リンパ覆い部を有するスナップ付バストパッドＢの正面図である。（実施例８）
【図１０】アンダーパッドＣ（１０）の正面図および断面図である。（実施例９）
【図１１】リンパ覆い部を有するアンダーパッドＤ（５）の正面図および断面図である。（実施例１０）
【図１２】リンパ覆い部を有するアンダーパッドＤ（９）の正面図および断面図である。（実施例１０）
【発明を実施するための形態】
【００２４】
本願の第１の発明は、以下のとおりである。
下地は、（ａ）厚地絹布（肌に接する層）および薄地ニット（内層）、または（ｂ）厚地絹布１枚あるいは２枚（肌に接する層）、化繊綿あるいはキルト芯の綿（中間層）、および薄地ニット（内層）、または（ｃ）薄地絹ニット１枚あるいは２枚（肌に接する層）、化繊綿あるいはキルト芯の綿（中間層）、および薄地ニット（内層）からなり、
前記下地を乳房形状に裁断し、前記下地の乳房形状の上部に開口部を形成する部分を縫い合わせ、
上地は、（ｄ）薄地ニット（内層）、不織布（中間層）、薄地ニット（外層、表装としてレース仕様に形成する。）、または（ｅ）薄地ニット（内層）、消臭不織布（中間層）、薄地ニット（外層、表装としてレース仕様に形成する。）、または（Ｆ）薄地ニット（内層）、消臭不織布（中間層）および薄地ニット（中間層）、薄地ニット（外層、表装としてレース仕様に形成する。）からなり、
前記上地を乳房形状に裁断し、前記上地の乳房形状を、乳房の膨らみを形成するようにし、前記上地の乳房形状の上部に開口部を形成する部分を縫い合わせ、
前記下地と上地とを重ねて、前記乳房形状の上部に形成した縫い合わせた部分を除いて、乳房形状の外周に沿って縫い合わせて、開口部を有する袋状体を形成し、
前記下地と上地との間に形成した袋状体の開口部から、小粒の淡水産天然パール、プラスチックビーズ、および化繊粒綿からなる詰め物を前記袋状体に充填し、上部には空間部を残し、その後、開口部を縫い合わせて形成したことを特徴とするバストパッドである。
【００２５】
本願の第２の発明は、以下のとおりである。
下地は、薄地絹ニット２枚（肌に接する層、２層）、キルト芯の綿（中間層）、および薄地ニット（内層）からなり、前記下地を乳房形状に裁断し、前記下地の乳房形状の上部に開口部を形成する部分を縫い合わせ、また、薄地絹ニット２枚の下部の両脇に開き止まりを縫い、その中間をポケット入口とし、
上地は、薄地ニット（内層）、消臭不織布および薄地ニット（中間層）、薄地ニット（外層、表装としてレース仕様に形成する。）からなり、前記上地を乳房形状に裁断し、前記上地の乳房形状を、乳房の膨らみを形成するようにし、前記上地の乳房形状の上部に開口部を形成する部分を縫い合わせ、
前記下地と上地とを重ねて、前記乳房形状の上部に形成した縫い合わせた部分を除いて、乳房形状の外周に沿って、乳房形状下部に形成した開き止まりまで縫い合わせ、かつ、開き止まりの中間は、２枚の薄地絹ニット（肌に接する層）の内側の薄地絹ニットのみを縫い合わせ、上部に開口部を有する袋状体、および内側下部にポケット入り口を形成し、
前記下地と上地との間に形成した袋状体の開口部から、小粒の淡水産天然パール、プラスチックビーズ、および化繊粒綿からなる詰め物を前記袋状体に充填し、上部には空間部を残し、その後、上部の開口部を縫い合わせて形成したことを特徴とするポケット付バストパッドである。
【００２６】
本願の別の態様である第３の発明は、以下のとおりである。
下地は、（ａ）厚地絹布（肌に接する層）および薄地ニット（内層）、または（ｂ）厚地絹布１枚あるいは２枚（肌に接する層）、化繊綿あるいはキルト芯の綿（中間層）、および薄地ニット（内層）、または（ｃ）薄地絹ニット１枚あるいは２枚（肌に接する層）、化繊綿あるいはキルト芯の綿（中間層）、および薄地ニット（内層）からなり、
前記下地の内層および中間層は乳房形状に裁断し、肌に接する層は乳房形状および脇の肋骨に当たる舌片状のリンパ覆い部を連接して裁断し、前記下地の乳房形状の上部に開口部を形成する部分を縫い合わせ、
上地は、（ｄ）薄地ニット（内層）、不織布（中間層）、薄地ニット（外層、表装としてレース仕様に形成する。）、または（ｅ）薄地ニット（内層）、消臭不織布（中間層）、薄地ニット（外層、表装としてレース仕様に形成する。）、または（ｆ）薄地ニット（内層）、消臭不織布（中間層）および薄地ニット（中間層）、薄地ニット（外層、表装としてレース仕様に形成する。）からなり、
前記上地の内層および中間層は乳房形状に裁断し、外層（表装としてレース仕様に形成する。）は乳房形状および脇の肋骨に当たる舌片状のリンパ覆い部を連接して裁断し、
前記上地の乳房形状を、乳房の膨らみを形成するようにし、
前記上地の乳房形状の上部に開口部を形成する部分を縫い合わせ、
前記下地と上地とを重ねて、前記乳房形状の上部に形成した縫い合わせた部分を除いて、乳房形状の外周から舌片状のリンパ覆い部外周に沿って縫い合わせ、さらに、乳房形状と舌片状のリンパ覆い部の境界を縫い合わせて、リンパ覆い部が連接された開口部を有する袋状体を形成し、
前記下地と上地との間に形成した袋状体の開口部から、小粒の淡水産天然パール、プラスチックビーズ、および化繊粒綿からなる詰め物を前記袋状体に充填し、上部には空間部を残し、その後、開口部を縫い合わせて形成したことを特徴とするリンパ覆い部を有するバストパッドである。
【００２７】
本願の別の態様である第４の発明は、以下のとおりである。
下地は、薄地絹ニット２枚（肌に接する層）、キルト芯の綿（中間層）、および薄地ニット（内層）からなり、前記下地の内層および中間層は乳房形状に裁断し、肌に接する層は乳房形状および脇の肋骨に当たる舌片状のリンパ覆い部を連接して裁断し、
前記下地の乳房形状の上部に開口部を形成する部分を縫い合わせ、また、薄地絹ニット２枚の下部の両脇に開き止まりを縫い、その中間をポケット入口とし、
上地は、薄地ニット（内層）、消臭不織布および薄地ニット（中間層）、薄地ニット（外層、表装としてレース仕様に形成する。）からなり、前記上地の内層および中間層は乳房形状に裁断し、外層（表装としてレース仕様に形成する。）は乳房形状および脇の肋骨に当たる舌片状のリンパ覆い部を連接して裁断し、
前記上地の乳房形状を、乳房の膨らみを形成するようにし、
前記上地の乳房形状の上部に開口部を形成する部分を縫い合わせ、
前記下地と上地とを重ねて、前記乳房形状の上部に形成した縫い合わせた部分を除いて、乳房形状の外周に沿って、乳房形状下部に形成した開き止まりまで縫い合わせ、かつ、開き止まりの中間は、２枚の薄地絹ニット（肌に接する層）の内側の薄地絹ニットのみを縫い合わせ、上部に開口部を有する袋状体、および内側下部にポケット入り口を形成し、
前記下地と上地との間に形成した袋状体の開口部から、小粒の淡水産天然パール、プラスチックビーズ、および化繊粒綿からなる詰め物を前記袋状体に充填し、上部には空間部を残し、その後、上部の開口部を縫い合わせて形成したことを特徴とするリンパ覆い部を有するポケット付バストパッドである。
【００２８】
本願のさらに別の態様である第５の発明は、以下のとおりである。
第１および第２の発明であるバストパッドにおいて、上地の外層（表装としてレース仕様に形成する。）左右の上部の位置に、ブラジャーの内部に取り付けた凹スナップに対応する凸スナップを１個または２個取り付けたことを特徴とするスナップ付バストパッドである。
【００２９】
本願のさらに別の態様である第６の発明は、以下のとおりである。
第３および第４の発明であるリンパ覆い部を有するバストパッドにおいて、上地の外層（表装としてレース仕様に形成する。）のリンパ覆い部の反対側の上部の位置に、ブラジャーの内部に取り付けた凹スナップに対応する凸スナップを１個取り付けたことを特徴とするリンパ覆い部を有するスナップ付バストパッドである。
【００３０】
ここで、前記した下地および上地の素材について説明する。
本願発明において、直接、肌に接する層は、厚地絹布および薄地絹ニットであり、必ず絹製品であることを最も重要な第１の特徴とする。
［厚地絹布、薄地絹ニット］
厚地絹布は、厚地絹ニット、起毛絹ニット、絹毛布、絹ビロード、および絹ベルベット等がある。
厚地絹布は、厚さ約３ｍｍから約５ｍｍのものが適当である。
厚地絹布および薄地絹ニットは、絹１００％のものであり、いずれも市販されている。
柔らかい布の素材として、例えば、化繊のマイクロファイバーからなる布地もあるが、このものは柔らかくとも、術後の肌には、チクチクと刺激するうえに、夏は蒸れるという欠点がある。
これに対し、本願発明において、肌に接する層に使用する厚地絹布は、たんぱく繊維である上に、厚みがあるのでクッション性があるあるため、術後の肌にも当たりが柔らかくなる。
なお、薄地絹ニットの場合は、化繊綿あるいはキルト芯の綿と組み合わせて使用する。
また、厚地絹布、薄地絹ニットは、夏、冬をとおして一年中使えるという特徴がある。
【００３１】
［その他の布帛］
薄地ニットは、各種製品が市販されており、いずれの製品でも良い。
下地に使用する薄地ニットは、オーミケンシ（株）製の温度調節機能素材「９７．６°Ｆ（キュウ・ナナ・ロク）」が特に好適である。
さらに、化繊綿、キルト芯の綿、不織布、および消臭不織布は、それぞれ市販されており、いずれの製品でも良い。
【００３２】
前記乳房の膨らみを形成する方法について、詳述すると、
乳房の膨らみを形成する方法は、立体裁断による方法や、ダーツを形成する方法等があるが、前記本願発明においては、いずれの方法も任意に採用できる。
以下の実施例においては、ダーツを形成する方法によっている。
具体的には、乳房形状の中央直線部分にダーツを設ける。その幅は、例えば、Ｓ、Ｍ、Ｌ用に１０ｍｍから５０ｍｍ位の必要に応じて任意の幅である。。
前記ダーツは、乳房形状の中央直線の下部に必要幅を取り、中央（乳頭）に向かって三角形に織り込んで縫う。折り代が内側になる。
【００３３】
前記詰め物の各々について、詳述する。
本願発明において、詰め物の素材として、小粒の淡水産天然パールを使用することことを最も重要な第２の特徴とする。
［小粒の淡水産天然パール］
小粒の淡水産天然パールは、真球の淡水産天然パール（宝石）でも、ネックレスやブレスレットに使用する孔を形成した淡水産天然パールでも良い。必ずしも、真球である必要はないが、角が無く、丸みを帯びているものが好ましい。
前記淡水産天然パールの粒径は、約２ｍｍから約４ｍｍ位が適当である。
前記小粒の淡水産天然パールは、中国産、フィリッピン産のものもあり、前記いずれのものも市販されている。
小粒の淡水産天然パールの使用量は、約５ｇから１００ｇの範囲で任意に選択できる。
前記小粒の淡水産天然パールは、プラスチックビーズと混合した場合に、プラスチックビーズが発生する静電気の帯電を防止するという格別顕著な効果がある。
また、小粒の淡水産天然パールを使用してみると、体臭が薄くなるので、殺菌効果・消臭効果もあるようです。
【００３４】
［プラスチックビーズ］
プラスチックビーズは、粒径が約２ｍｍから約４ｍｍ位のものであれば、球状でも、ペレット状でも、市販のいずれのプラスチックビーズでも使用できる。
ペレット状のプラスチックビーズは、角のない物の方が良い。
特に好適なプラスチックビーズは、手芸用の縫いぐるみに充填用として市販されている物である。
プラスチックビーズの使用量は、約２ｇから１００ｇの範囲で任意に選択できる。
【００３５】
［化繊粒綿］
化繊粒綿は、手芸用につぶ状綿パッキングとして市販されている物が使用できる。
化繊粒綿は、バストパッドの袋状体の空間を塞ぎ、形を整えるためのものである。
そのために、化繊粒綿の使用量は、任意である。
また、化繊粒綿の比重が軽いために、その使用重量は、約１ｇから１０ｇと少量である。
【００３６】
［淡水産天然パールとプラスチックビーズとの配合割合］
バストパッドの全体の重量を調節するために、淡水産天然パールとプラスチックビーズとを配合する。
淡水産天然パールと比較するとプラスチックビーズは軽いので、同重量の体積比は、
淡水産天然パール：プラスチックビーズ＝１：３    である。
したがって、その配合割合は、前記比率に基づいて、任意に決定できるものであり、それによって必要なバストパッドの重量を決定できる。
【００３７】
また、本願の付加的な態様である第７の発明は、以下のとおりである。
第１および第２、並びに第５の発明であるバストパッドの下に、重ねて使用するアンダーパッドであって、
（１）厚地絹布（肌に接する層）１層、
（２）厚地絹布（肌に接する層、および外層）２層、
（３）厚地絹布（肌に接する層）、および化繊綿（外層）との２層、
（４）厚地絹布（肌に接する層）、およびキルト芯の綿（外層）との２層、
（５）厚地絹布（肌に接する層）、および薄地ニット（外層、表装としてレース仕様に形成する。）との２層、
（６）厚地絹布（肌に接する層、中間層、および外層）３層、
（７）厚地絹布（肌に接する層、中間層）２層、および化繊綿（外層）との３層、
（８）厚地絹布（肌に接する層、中間層）２層、およびキルト芯の綿（外層）との３層、
（９）厚地絹布（肌に接する層）、キルト芯の綿（中間層）、および薄地ニット（外層、表装としてレース仕様に形成する。）との３層、
（１０）厚地絹布（肌に接する層、中間層）２層、および薄地ニット（外層、表装としてレース仕様に形成する。）との３層、
（１１）厚地絹布（肌に接する層）、化繊綿（中間層）および薄地ニット（外層、表装としてレース仕様に形成する。）との３層、
（１２）厚地絹布（肌に接する層、中間層）２層、キルト芯の綿（中間層）層、および薄地ニット（外層、表装としてレース仕様に形成する。）との４層、
（１３）厚地絹布（肌に接する層）、キルト芯の綿（中間層）２層、および薄地ニット（外層、表装としてレース仕様に形成する。）との４層、または、
（１４）薄地絹ニット（肌に接する層）、キルト芯の綿（中間層）、薄地ニット（中間層）、および薄地ニット（外層、表装としてレース仕様に形成する。）との４層、
（１５）薄地絹ニット（肌に接する層）、キルト芯の綿（中間層）２層、薄地ニット（中間層）、および薄地ニット（外層、表装としてレース仕様に形成する。）との５層、
（１６）薄地絹ニット（肌に接する層）、キルト芯の綿（中間層）３層、薄地ニット（中間層）、および薄地ニット（外層、表装としてレース仕様に形成する。）との６層、
を乳房形状に裁断し、前記各層の乳房形状の周囲を縫い合わせて形成したアンダーパッドであって、これらを必要に応じて重ねて使用することを特徴とするバストパッドである。
【００３８】
さらに、本願の付加的な態様である第８の発明は、以下のとおりである。
第３および第４、並びに第６の発明であるリンパ覆い部を有するバストパッドの下に、重ねて使用するアンダーパッドであって、
（１）厚地絹布（肌に接する層）１層、
（２）厚地絹布（肌に接する層、および外層）２層、
（３）厚地絹布（肌に接する層）、および化繊綿（外層）との２層、
（４）厚地絹布（肌に接する層）、およびキルト芯の綿（外層）との２層、
（５）厚地絹布（肌に接する層）、および薄地ニット（外層、表装としてレース仕様に形成する。）との２層、
（６）厚地絹布（肌に接する層、中間層、および外層）３層、
（７）厚地絹布（肌に接する層、中間層）２層、および化繊綿（外層）との３層、
（８）厚地絹布（肌に接する層、中間層）２層、およびキルト芯の綿（外層）との３層、
（９）厚地絹布（肌に接する層）、キルト芯の綿（中間層）、および薄地ニット（外層、表装としてレース仕様に形成する。）との３層、
（１０）厚地絹布（肌に接する層、中間層）２層、および薄地ニット（外層、表装としてレース仕様に形成する。）との３層、
（１１）厚地絹布（肌に接する層）、化繊綿（中間層）、および薄地ニット（外層、表装としてレース仕様に形成する。）との３層、
（１２）厚地絹布（肌に接する層、中間層）２層、キルト芯の綿（中間層）層、および薄地ニット（外層、表装としてレース仕様に形成する。）との４層、
（１３）厚地絹布（肌に接する層）、キルト芯の綿（中間層）２層、および薄地ニット（外層、表装としてレース仕様に形成する。）との４層、または、
（１４）薄地絹ニット（肌に接する層）、キルト芯の綿（中間層）、薄地ニット（中間層）、および薄地ニット（外層、表装としてレース仕様に形成する。）との４層、
（１５）薄地絹ニット（肌に接する層）、キルト芯の綿（中間層）２層、薄地ニット（中間層）、および薄地ニット（外層、表装としてレース仕様に形成する。）との５層、
（１６）薄地絹ニット（肌に接する層）、キルト芯の綿（中間層）３層、薄地ニット（中間層）、および薄地ニット（外層、表装としてレース仕様に形成する。）との６層、
について、中間層は乳房形状に裁断し、肌に接する層および外層は乳房形状および脇の肋骨に当たる舌片状のリンパ覆い部を連接して裁断し、前記各層の乳房形状の外周から舌片状のリンパ覆い部外周に沿って縫い合わせ、さらに、乳房形状と舌片状のリンパ覆い部の境界を縫い合わせて形成したアンダーパッドであって、これらを必要に応じて重ねて使用することを特徴とするリンパ覆い部を有するバストパッドである。
【００３９】
また、本願の付加的な態様である第９の発明は、以下のとおりである。
第２および第４の発明であるポケット付バストパッドのポケットの中に使用する中パッドであって、
（１）薄地ニット（上層、下層）２層、キルト芯の綿（中間層）との３層、
（２）薄地ニット（上層、下層）２層、キルト芯の綿（中間層）２枚層との４層、
をポケットの中に入る大きさに裁断し、前記各層のを縫い合わせて形成した中パッドであって、これらを必要に応じてポケットの中に封入して使用することを特徴とするポケット付バストパッドである。
【００４０】
本願の付加的な態様である第１０の発明は、以下のとおりである。
第１から第９の発明であるバストパッドにおいて、下地および上地の各層を縫い合わせる際に、消臭ミシン糸を使用することを特徴とするバストパッドである。
前記縫い合わせるために使用する消臭ミシン糸は、市販されている消臭ミシン糸「ミレ−ヌ（登録商標）」が適当である。
【実施例１】
【００４１】
以下の実施例においては、バストパッドＡの乳房の膨らみを形成する方法は各種があるが、ダーツを形成する例について詳述する。
本願発明の実施例１について、図１にバストパッドＡの外観斜視図を示す。
図２は、図１のＡ−Ａ線の断面図である。
なお、バストパッドの形は球形でも良いが、図１に示すバストパッドＡの形は、ブラジャーのカップの中に納めるために特に適した形である。
バストパッドが球形だと動いてずれてしまうが、このバストパッドＡの形は、４隅のカドが支えになって、ブラジャーのカップの中で、ずれることがない。
なお、図１は、左胸用である。
以下、この形を乳房形状と称す。
本願発明の実施例１に係るバストパッドＡは、下地１、上地２、および詰め物３からなる。
【００４２】
下地１は、厚地絹布４（肌に接する層）、薄地ニット５（内層）からなる。
厚地絹布４（肌に接する層）の厚さは、約３ｍｍ位のものを使用した。
また、下地１は、中間層として、化繊綿６あるいはキルト芯の綿７を使用することができる。
前記下地１の厚地絹布４（肌に接する層）および薄地ニット５（内層）を、乳房形状に裁断し、前記２層の乳房形状の上部に開口部８を形成する部分を、ロックミシンを掛けて縫い合わせる。
前記ロックミシンの縫い目９を図３の１に示す。
【００４３】
上地２は、薄地ニット５（内層）、不織布１０（中間層）、および薄地ニット１１（外層、表装としてレース仕様に形成する。）からなる。
前記上地２の薄地ニット５（内層）、不織布１０（中間層）、および薄地ニット１１（外層、表装としてレース仕様に形成する。）を、乳房形状に裁断する。
前記上地２の薄地ニット５（内層）、および不織布１０（中間層）は、乳房中心下部に約１０ｍｍ幅のダーツを取り、折り返して乳房中心部の乳頭部に向かってダーツ１２を形成して縫い、縫い代を身体中心の外方に向ける。
また、薄地ニット１１（外層、表装としてレース仕様に形成する。）は、同様に、乳房中心下部に約１０ｍｍ幅のダーツを取り、折り返して乳房中心部の乳頭部に向かってダーツ１２を形成して縫い、縫い代を身体中心の内方に向ける。
このように、ダーツ１２の縫い代を身体中心の内方と外方とに向けることにより、ダーツ１２の厚みを少なくすることができる。
そして、前記上地２の３層の乳房形状の上部に開口部８を形成する部分を、ほつれ止めミシンを掛けて縫い合わせる。
前記ほつれ止めミシンの縫い目１３を図３の２に示す。
【００４４】
前記下地２と上地３との５層を重ねて、前記２つの縫い合わせた部分（９、１３）を除いて、乳房型の外周に沿って、ロックミシンを掛けて縫い合わせる。
このようにして、開口部８を有する袋状体１４を形成する。
次いで、開口部８を形成する前記２つの縫い合わせた部分（９、１３）の下部から約１／３の箇所まで、普通のミシン掛けをして縫い合わせる。
この普通のミシンの縫い目１５を図１および図２に示す。
この処理は、開口部８の補強のためである。
【００４５】
詰め物３は、小粒の淡水産天然パール１６、プラスチックビーズ１７、および化繊粒綿１８からなる。
この実施例１において、小粒の淡水産天然パール１６は、フィリッピン産の市販のパールを使用した。
また、プラスチックビーズ１７は、手芸用の縫いぐるみに充填用として市販されている物を使用した。
さらに、化繊粒綿１８は、市販されている手芸用のつぶ状綿パッキングを使用した。
【００４６】
前記下地１と上地２との間に形成した前記袋状体１４の開口部８から、前記詰め物３を充填する。
実施例１においては、ＳサイズのバストパッドＡの例として、以下の割合を配合した。
小粒の淡水産天然パール１６          １５ｇ
プラスチックビーズ１７              ４５ｇ
化繊粒綿１８                          １ｇ  
合計                            ６１ｇ
【００４７】
前記詰め物３の内、小粒の淡水産天然パール１６とプラスチックビーズ１７とを先に充填し、その後、化繊粒綿１８を充填し、上部には空間部１９を残す。
前記詰め物３を充填した後、開口部８の残りの２／３を普通のミシン掛けをして縫い合わせてバストパッドＡを形成した。
この普通のミシンの縫い目１５を図１および図２に示す。
バストパッドＡの上部には、空間部１９を残すことが重要である。
この空間部１９が有ることにより、身体の移動に応じて、小粒の淡水産天然パール１６およびプラスチックビーズ１７に可動性が生じ、バストパッドＡが、より自然に近い感じになる。
【００４８】
前記本願発明に係るバストパッドＡは、ブラジャーカップの規格に合わせてブラジャーの内側に詰めて使用する。
ブラジャーは、医療用の専用ブラジャーで有る必要は無く、市販の普通のフルカップブラジャーが使用できる。
【実施例２】
【００４９】
実施例２は、実施例１において、上地２の層を、薄地ニット５（内層）、消臭不織布２０（中間層）、および薄地ニット１１（外層、表装としてレース仕様に形成する。）と変更したものである。
その他は、実施例１と同様であり、同様にしてバストパッドＡを形成した。
このバストパッドＡは、消臭不織布２０（中間層）により、消臭効果を有する。
実施例２の構造は、実施例１と同じになるので、図示は省略する。
【実施例３】
【００５０】
実施例３は、本願第２の発明に係るポケット付バストパッドＡの例であり、素材や部材について、同じものは実施例１と同じ符号番号を使用する。
下地１は、２枚の薄地絹ニット２１（肌に接する層、２層）、キルト芯の綿７（中間層）、および薄地ニット５（内層）からなり、実施例１と同様に、乳房形状に裁断し、乳房形状の上部に開口部８を形成する部分を実施例１と同様に縫い合わせる。
また、２枚の薄地絹ニット２１の乳房形状下部の両脇に開き止まり部２２を縫い、その中間をポケット入口２３とする。
上地２は、薄地ニット５（内層）、消臭不織布２０（中間層）、および薄地ニット５（中間層）、薄地ニット１１（外層、表装としてレース仕様に形成する。）からなり、実施例１と同様に、乳房形状に裁断し、ダーツにより乳房の膨らみを形成し、乳房形状の上部に開口部８を形成する部分も実施例１と同様に縫い合わせる。
その後も実施例１と同様に、下地１と上地２とを重ねて、前記乳房形状の上部に形成した２つの縫い合わせた部分（９、１３）を除いて、乳房形状の外周に沿って、実施例１と同様に縫い合わせ、また、乳房形状下部に形成した開き止まり部２２まで縫い合わせ、かつ、開き止まり部２２の中間は、２枚の薄地絹ニット２１（肌に接する層）の内側の薄地絹ニット２１のみを縫い合わせ、上部に開口部８を有する袋状体１４、および下地１の肌に接する面の下部にポケット入り口２３を形成する。
詰め物３も実施例１と同様であり、同様に充填して、その後、開口部８を縫い合わせてポケット付バストパッドＡを形成した。
実施例３のポケット付バストパッドＡも、消臭不織布２０（中間層）により、消臭効果を有する。
実施例３の構造は、実施例２よりも上地２の中間層が１層増えるだけで、他は同じなので、断面図は省略する。
実施例３のポケット付バストパッドＡを裏側（肌に接する側）から見た正面図を図４に示す。
【実施例４】
【００５１】
実施例４は、本願第３の発明に係るリンパ覆い部を有するバストパッドＢの例であり、素材や部材について、同じものは実施例１と同じ符号番号を使用する。
本願発明の実施例４に係るリンパ覆い部を有するバストパッドＢは、下地１、上地２、および詰め物３からなる。
下地１は、厚地絹布４（肌に接する層）、薄地ニット５（内層）からなり、厚地絹布４（肌に接する層）の厚さは、約３ｍｍ位であることも実施例１と同じである。
前記厚地絹布４（肌に接する層）は、乳房形状および脇の肋骨に当たる舌片状のリンパ覆い部２４を連接して裁断し、薄地ニット５（内層）は、乳房形状に裁断する。
前記下地１の２層の乳房形状の上部に開口部８を形成する部分を、実施例１と同様に縫い合わせる。
前記ロックミシンの縫い目９は、実施例１の図３の１に示すものと同じなので図示は、省略する。
上地２は、薄地ニット５（内層）、不織布１０（中間層）、および薄地ニット１１（外層、表装としてレース仕様に形成する。）からなることも実施例１と同じである。
前記上地２の薄地ニット５（内層）、および不織布１０（中間層）は、乳房形状に裁断し、薄地ニット１１（外層、表装としてレース仕様に形成する。）は、乳房形状および脇の肋骨に当たる舌片状のリンパ覆い部２４を連接して裁断し、上地２の乳房形状を、実施例１と同様にして乳房の膨らみを形成する。
前記上地２の乳房形状の上部に開口部８を形成する部分も同様に縫い合わせる。
そして、下地１と上地２とを重ねて、前記乳房形状の上部に形成した２つの縫い合わせた部分（９、１３）を除いて、乳房形状の外周から舌片状のリンパ覆い部２４外周に沿って縫い合わせ、さらに、乳房形状と舌片状のリンパ覆い部２４の境界を縫い合わせて、リンパ覆い部２４が連接された開口部８を有する袋状体１４を形成する。
そして、実施例１と同様に、袋状体１４の開口部８から、実施例１と同じ詰め物３を袋状体１４に充填し、上部には空間部１９を残し、その後、開口部８を縫い合わせてリンパ覆い部２４を有するバストパッドＢを形成した。
実施例４の正面図を図５に示す。図５の縦の断面図は、図２のＡ−Ａ断面図と同じであるので省略する。図５のＢ−Ｂ断面図を図６に示す。
【００５２】
前記本願発明に係るリンパ覆い部２４を有するバストパッドＢは、ブラジャーカップの規格に合わせてブラジャーの内側に詰めて使用する。
ブラジャーは、医療用の専用ブラジャーで有る必要は無く、市販の普通のフルカップブラジャーが使用できる。
前記本願発明に係るリンパ覆い部２４を有するバストパッドＢは、脇の下のリンパを削除した後に、その傷が癒えた場合には、舌片状のリンパ覆い部２４を切り取ることができる。切り取った後は、実施例１のバストパッドＡと同じように使用できる。
【実施例５】
【００５３】
実施例５は、実施例４において、上地２の層を、薄地ニット５（内層）、消臭不織布２０（中間層）、および薄地ニット１１（外層、表装としてレース仕様に形成する。）と変更したものである。
その他は、実施例４と同様であり、同様にしてリンパ覆い部２４を有するバストパッドＢを形成した。
このリンパ覆い部２４を有する消臭バストパッドＢは、消臭不織布２０（中間層）により、消臭効果を有する。
実施例５の構造は、実施例４と同じになるので、図示は省略する。
【実施例６】
【００５４】
実施例６は、本願第４の発明に係るリンパ覆い部２４を有するポケット付バストパッドＢの例であり、素材や部材について、同じものは前記と同じ符号番号を使用する。
下地１は、２枚の薄地絹ニット２１（肌に接する層）、キルト芯の綿７（中間層）、および薄地ニット５（内層）からなり、前記下地の内層および中間層は乳房形状に裁断し、肌に接する層は乳房形状および脇の肋骨に当たる舌片状のリンパ覆い部２４を連接して裁断し、前記下地の乳房形状の上部に開口部８を形成する部分を縫い合わせ、また、２枚の薄地絹ニット２１の乳房形状下部の両脇に開き止まり部２２を縫い、その中間をポケット入口２３とする。
上地は、薄地ニット５（内層）、消臭不織布２０（中間層）および薄地ニット５（中間層）、薄地ニット１１（外層、表装としてレース仕様に形成する。）からなり、前記上地の内層および中間層は乳房形状に裁断し、外層（表装としてレース仕様に形成する。）は乳房形状および脇の肋骨に当たる舌片状のリンパ覆い部２４を連接して裁断し、
前記上地の乳房形状を、実施例１と同様にして乳房の膨らみを形成するようにし、前記上地の乳房形状の上部に開口部８を形成する部分を縫い合わせる。
前記下地１と上地２とを重ねて、前記乳房形状の上部に形成した縫い合わせた部分（９、１３）を除いて、乳房形状の外周に沿って、乳房形状下部に形成した開き止まり部２２まで縫い合わせ、かつ、開き止まり部２２の中間は、２枚の薄地絹ニット２１（肌に接する層）の内側の薄地絹ニット２１のみを縫い合わせ、上部に開口部８を有する袋状体１４、および内側下部にポケット入り口２３を形成する。
前記下地１と上地２との間に形成した袋状体１４の開口部８から、実施例１と同じ詰め物３を袋状体１４に充填し、上部には空間部１９を残し、その後、上部の開口部８を縫い合わせてリンパ覆い部２４を有するポケット付バストパッドを形成した。
このリンパ覆い部２４を有するポケット付バストパッドＢは、消臭不織布２０（中間層）により、消臭効果を有する。
実施例６の構造は、実施例４よりも上地２の中間層が１層増えるだけで、他は同じなので、断面図は省略する。
実施例６のリンパ覆い部２４を有するポケット付バストパッドＢを裏側（肌に接する側）から見た正面図を図７に示す。
【実施例７】
【００５５】
実施例７は、本願第５の発明に係るスナップ付バストパッドＡの例であり、素材や部材について、同じものは前記と同じ符号番号を使用する。
実施例７は、実施例１から実施例３のバストパッドにおいて、上地１の薄地ニット１１（外層、表装としてレース仕様に形成する。）左右の上部の位置に、ブラジャーの内部に取り付けた凹スナップに対応する凸スナップ２５を１個または２個取り付けたスナップ付バストパッドＡである。
代表例として、実施例１のバストパットＡの外層表面に凸スナップ２５を１個取り付けた例を図８に示す。
この例は、凸スナップ２５を外層表面の内側に取り付けた左胸用である。
【実施例８】
【００５６】
実施例８は、本願第６の発明に係るリンパ覆い部２４を有するスナップ付バストパッドＢの例であり、素材や部材について、同じものは前記と同じ符号番号を使用する。
実施例８は、実施例４から実施例６のリンパ覆い部２４を有するバストパッドＢにおいて、上地１の薄地ニット１１（外層、表装としてレース仕様に形成する。）のリンパ覆い部２４の反対側の上部の位置に、ブラジャーの内部に取り付けた凹スナップに対応する凸スナップ２５を１個取り付けたリンパ覆い部２４を有するスナップ付バストパッドＢである。
この例は、凸スナップ２５を内側に取り付けた左胸用である。
代表例として、実施例４のリンパ覆い部２４を有するバストパットＢの外層の内側表面上部に凸スナップ２３を１個取り付けた例を図９に示す。
【実施例９】
【００５７】
実施例９は、本願第７の発明に係るアンダーパッドＣの例であり、実施例１から実施例３、および実施例７のバストパットＡの下に、重ねて使用するものである。
素材や部材について、同じものは前記と同じ符号番号を使用する。
このアンダーパッドＣは、バストパットＡの厚みを調節するものであり、その組み合わせは、以下のとおりである。
（１）厚地絹布４（肌に接する層）１層、
（２）厚地絹布４（肌に接する層、および外層）２層、
（３）厚地絹布４（肌に接する層）、および化繊綿６（外層）との２層、
（４）厚地絹布４（肌に接する層）、およびキルト芯の綿７（外層）との２層、
（５）厚地絹布４（肌に接する層）、および薄地ニット１１（外層、表装としてレース仕様に形成する。）との２層、
（６）厚地絹布４（肌に接する層、中間層、および外層）３層、
（７）厚地絹布４（肌に接する層、中間層）２層、および化繊綿６（外層）との３層、
（８）厚地絹布４（肌に接する層、中間層）２層、およびキルト芯の綿７（外層）との３層、
（９）厚地絹布４（肌に接する層、中間層）２層、および薄地ニット１１（外層、表装としてレース仕様に形成する。）との３層、
（１０）厚地絹布４（肌に接する層）、キルト芯の綿７（中間層）、および薄地ニット１１（外層、表装としてレース仕様に形成する。）との３層、
（１１）厚地絹布４（肌に接する層）、化繊綿６（中間層）および薄地ニット１１（外層、表装としてレース仕様に形成する。）との３層、
（１２）厚地絹布４（肌に接する層、中間層）２層、キルト芯の綿７（中間層）層、および薄地ニット１１（外層、表装としてレース仕様に形成する。）との４層、
（１３）厚地絹布４（肌に接する層）、キルト芯の綿７（中間層）２層、および薄地ニット１１（外層、表装としてレース仕様に形成する。）との４層、
（１４）薄地絹ニット２１（肌に接する層）、キルト芯の綿７（中間層）、薄地ニット５（中間層）、および薄地ニット１１（外層、表装としてレース仕様に形成する。）との４層、
（１５）薄地絹ニット２１（肌に接する層）、キルト芯の綿７（中間層）２層、薄地ニット５（中間層）、および薄地ニット１１（外層、表装としてレース仕様に形成する。）との５層、
（１６）薄地絹ニット２１（肌に接する層）、キルト芯の綿７（中間層）３層、薄地ニット５（中間層）、および薄地ニット１１（外層、表装としてレース仕様に形成する。）との６層、
上記の各層を乳房形状に裁断し、前記各層の乳房形状の周囲を縫い合わせてアンダーパッドＣを形成した。
【００５８】
アンダーパッドＣは、上記の層を適宜選ぶことにより必要な厚みを得ることができる。
アンダーパッドＣの外層に、薄地ニット５（表装としてレース仕様に形成する。）を使用すると、見た目がきれいであるだけでなく、強度が増す。
また、アンダーパッドＣは、これらをバストパッドＡに必要に応じて重ねて使用することを特徴とする。
上記（１）から（１６）の層からなるアンダーパッドＣは、左右の乳房の両方に使用可能である。
上記（１０）の層からなるアンダーパッドＣについて、図１０に、正面図、およびそのＣ−Ｃ線の断面図を示す。
Ｃ−Ｃ断面図には、厚地絹布４（肌に接する層）、キルト芯の綿７（中間層）、および薄地ニット５（外層、表装としてレース仕様に形成する。）の３層を重ねても、その縫い合わせた所の厚さは、厚手の絹毛布４の１層の厚さとほとんど変わらず、段差ができないことが示されている。
【実施例１０】
【００５９】
実施例１０は、本願第８の発明に係るリンパ覆い部２４を有するアンダーパッドＤの例であり、実施例４から実施例６、および実施例８のリンパ覆い部２４を有するバストパットＢの下に、重ねて使用するものである。
素材や部材について、同じものは前記と同じ符号番号を使用する。
このリンパ覆い部２４を有するアンダーパッドＤは、バストパットＢの厚みを調節するものであり、その組み合わせは、以下のとおりである。
（１）厚地絹布４（肌に接する層）１層、
（２）厚地絹布４（肌に接する層、および外層）２層、
（３）厚地絹布４（肌に接する層）、および化繊綿６（外層）との２層、
（４）厚地絹布４（肌に接する層）、およびキルト芯の綿７（外層）との２層、
（５）厚地絹布４（肌に接する層）、および薄地ニット１１（外層、表装としてレース仕様に形成する。）との２層、
（６）厚地絹布４（肌に接する層、中間層、および外層）３層、
（７）厚地絹布４（肌に接する層、中間層）２層、および化繊綿６（外層）との３層、
（８）厚地絹布４（肌に接する層、中間層）２層、およびキルト芯の綿７（外層）との３層、
（９）厚地絹布４（肌に接する層、中間層）２層、および薄地ニット１１（外層、表装としてレース仕様に形成する。）との３層、
（１０）厚地絹布４（肌に接する層）、キルト芯の綿７（中間層）、および薄地ニット１１（外層、表装としてレース仕様に形成する。）との３層、
（１１）厚地絹布４（肌に接する層）、化繊綿６（中間層）、および薄地ニット１１（外層、表装としてレース仕様に形成する。）との３層、
（１２）厚地絹布４（肌に接する層、中間層）２層、キルト芯の綿７（中間層）層、および薄地ニット１１（外層、表装としてレース仕様に形成する。）との４層、
（１３）厚地絹布４（肌に接する層）、キルト芯の綿７（中間層）２層、および薄地ニット１１（外層、表装としてレース仕様に形成する。）との４層、
（１４）薄地絹ニット２１（肌に接する層）、キルト芯の綿７（中間層）、薄地ニット５（中間層）、および薄地ニット１１（外層、表装としてレース仕様に形成する。）との４層、
（１５）薄地絹ニット２１（肌に接する層）、キルト芯の綿７（中間層）２層、薄地ニット５（中間層）、および薄地ニット１１（外層、表装としてレース仕様に形成する。）との５層、
（１６）薄地絹ニット２１（肌に接する層）、キルト芯の綿７（中間層）３層、薄地ニット５（中間層）、および薄地ニット１１（外層、表装としてレース仕様に形成する。）との６層、
上記の各層について、中間層は乳房形状に裁断し、肌に接する層および外層は乳房形状および脇の肋骨に当たる舌片状のリンパ覆い部２４を連接して裁断し、前記各層の乳房形状の外周から舌片状のリンパ覆い部２４外周に沿って縫い合わせ、さらに、乳房形状と舌片状のリンパ覆い部２３の境界を縫い合わせてリンパ覆い部２４を有するアンダーパッドＤを形成した。
【００６０】
リンパ覆い部２４を有するアンダーパッドＤは、上記の層を適宜選ぶことにより必要な厚みを得ることができる。
また、リンパ覆い部２４を有するアンダーパッドＤは、これらをリンパ覆い部２４を有するバストパッドＢに必要に応じて重ねて使用することを特徴とする。
上記（５）の層からなるリンパ覆い部２４を有するアンダーパッドＤ（５）について、図１１に、正面図、およびそのＤ−Ｄ線の断面図を示す。
Ｄ−Ｄ断面図には、厚地絹布４に、薄地ニット１１（外層、表装としてレース仕様になっている。）を重ねても、その縫い合わせた所の厚さは、厚地絹布４の１層の厚さとほとんど変わらないことが示されている。
【００６１】
また、上記（９）の層からなるリンパ覆い部２４を有するアンダーパッドＤ（９）について、図１２に、正面図、およびそのＥ−Ｅ線の断面図を示す。
Ｅ−Ｅ断面図には、厚地絹布４（肌に接する層）、および厚地絹布４（中間層）に、薄地ニット１１（外層、表装としてレース仕様になっている。）を重ねても、その縫い代は、厚地絹布４（肌に接する層）の１層の厚さとほとんど変わらないことが示されている。
【実施例１１】
【００６２】
実施例１１は、本願第９の発明に係る実施例３および実施例６のポケット付バストパッドのポケットの中に収納する中パッドの例である。
素材や部材について、同じものは前記と同じ符号番号を使用する。
この中パッドＥの組み合わせは、以下のとおりである。
（１）薄地ニット５（上層、下層）２層、キルト芯の綿７（中間層）との３層、
（２）薄地ニット５（上層、下層）２層、キルト芯の綿７（中間層）２層との４層、
上記の各層をポケットの中に入る大きさに裁断し、前記各層のを縫い合わせて中パッドＥ形成した。
これらの中パッドＥは、ポケット付バストパッドのポケットの中に封入して使用するものである。
これらの中パッドＥは、ポケット付バストパッドＡおよびリンパ覆い部２４を有するポケット付バストパッドＢに共用して使用できる。
これらの中パッドＥは、図示を省略する。
【実施例１２】
【００６３】
実施例１２は、本願第１０の発明に係る消臭ミシン糸を使用する例である。
消臭ミシン糸は、実施例１から実施例１２のバストパッドＡ、リンパ覆い部２４を有するバストパットＢ、アンダーパッドＣ、およびリンパ覆い部２４を有するアンダーパッドＤに使用することができる。
上記のバストパッドおよびアンダーパッドの製造において、ミシンを掛けて縫製する際に、ミシン糸として、市販されている消臭ミシン糸「ミレ−ヌ（登録商標）」を使用する例である。
ミシン掛けをする際に、ミシン糸を消臭ミシン糸に変えるだけなので、他の内容は前記の実施例１から実施例１１と同じである。
各種アンダーパッドを製造するときに、ミシンを掛けて縫製する際に、ミシン糸として、市販されている消臭ミシン糸「ミレ−ヌ（登録商標）」を使用する例である。
【産業上の利用可能性】
【００６４】
従来の医療現場において使用されている人工乳房は、乳ガンの手術後、約４〜６ヶ月以降に使用するものであるのに対して、本願発明のバストパッドＡおよびリンパ覆い部を有するバストパッドＢは、当たりが柔らかいので、手術後、約１ヶ月から２ヶ月後に、傷のカサブタができた頃から使用できる。
このような早い時期から装着が可能なために、術後のキズの保護と身体のバランスを保つことができる。
また、乳房は、痩せたり太ったり、生理の前後等で、大きさが変わることに対して、アンダーパッドを使用することにより調節できる。
さらに、ブラジャーの一部として、利用できる。
その上、機能性だけでなく、デザインも考慮することができる。
一方、バストパッドＡおよびリンパ覆い部を有するバストパッドＢは、実施例のように完成品だけではなく、バストパッドと詰め物とを別にして供給し、各自が自分の症状に会わせて、バストパッドに詰め物を充填し、縫い合わせることで、使用することもできる。
また、リンパ覆い部を有するバストパッドＢは、リンパ部のキズが治ったら、ハサミで切り取ることができる。
さらに、バストパッドＡおよびリンパ覆い部を有するバストパッドＢは、市販のフルサイズのブラジャーなら、どのタイプのものにでも使用可能であり、汎用性が高い。
その上、ポケット付バストパッドＡおよびリンパ覆い部を有するポケット付バストパッドＢは、ポケットの中に自分の術後の状況に応じて、中パッドＥだけではなく、自分で綿等を適宜詰めることができる。
この様にすることにより、千差万別な術後の状態に対応することができる。
以上のような特徴により、本願発明は、術後の強い喪失感を軽減することができる。
その上、バストパッドＡおよびリンパ覆い部を有するバストパッドＢの下に重ねて、アンダーパッドＣおよびリンパ覆い部を有するアンダーパッドＤを使用することができる。このアンダーパッドをバストパッドＡ、およびバストパッドＢの下に重ねて装着することにより、高さの調節ができる。
また、アンダーパッドは、洗濯が簡便であり、清潔に保つことができる。
そのために、バストパッドＡ、およびバストパッドＢの洗濯の回数を減らすことができるので、バストパッドＡ、およびバストパッドＢが長持ちする。
さらに、アンダーパッドの数を多く持つことにより、汗をかいた時などに、何回も手軽に交換できて快適である。
【符号の説明】
【００６５】
Ａ    バストパッド
Ｂ    リンパ覆い部を有するバストパッド
Ｃ    アンダーパッドパッド
Ｄ    リンパ覆い部を有するアンダーパッドパッド
Ｅ    中パッド
１    下地
２    上地
３    詰め物
４    厚地絹布（肌に接する層）
５    薄地ニット（内層）
６    化繊綿
７    キルト芯の綿
８    開口部
９    ロックミシンの縫い目
１０  不織布
１１  薄地ニット（外層、表装としてレース仕様に形成する。）
１２  ダーツ
１３  ほつれ止めミシンの縫い目
１４  袋状体
１５  普通のミシンの縫い目（ステッチ）
１６  小粒の淡水産天然パール
１７  プラスチックビーズ
１８  化繊粒綿
１９  空間部
２０  消臭不織布
２１  薄地絹ニット（肌に接する層）
２２  開き止まり部
２３  ポケット入口
２４  リンパ覆い部
２５  凸スナップ
【図１】
0005167182.tif 000002
【図２】
0005167182.tif 000003
【図３】
0005167182.tif 000004
【図４】
0005167182.tif 000005
【図５】
0005167182.tif 000006
【図６】
0005167182.tif 000007
【図７】
0005167182.tif 000008
【図８】
0005167182.tif 000009
【図９】
0005167182.tif 000010
【図１０】
0005167182.tif 000011
【図１１】
0005167182.tif 000012
【図１２】
0005167182.tif 000013